(57)【要約】【課題】仏壇購入者が自らの仏壇収納空間に購入を検討している仏壇を収納した場合の合成画像を視認することを可能ならしめ、もって収納空間に対して適切な大きさの仏壇を購入することを可能とする仏壇販売システムを提供すること。【解決手段】画像変更手段により仏壇と仏壇画像との縮尺比率と同比率で仏壇収納空間画像を縮尺し、画像合成手段により当該画像変更手段により縮尺された仏壇収納空間画像と仏壇画像とを合成し、当該画像合成手段により合成した合成画像を顧客に提示し視認せしめる。【選択図】  図１
2004154194.tif 000002
【特許請求の範囲】
【請求項１】
画像変更手段により顧客の仏壇収納空間と当該収納空間画像との縮尺比率と同比率で仏壇画像を縮尺し、画像合成手段により当該画像変更手段により縮尺された仏壇画像と収納空間画像とを合成し、当該画像合成手段により合成した合成画像を顧客に提示し視認せしめ仏壇購入の一助となさしめる仏壇販売システム。
【請求項２】
画像変更手段により仏壇と仏壇画像との縮尺比率と同比率で仏壇収納空間画像を縮尺し、画像合成手段により当該画像変更手段により縮尺された仏壇収納空間画像と仏壇画像とを合成し、当該画像合成手段により合成した合成画像を顧客に提示し視認せしめ仏壇購入の一助となさしめる仏壇販売システム。
【請求項３】
インターネット等のオープンネットワークを通じて顧客の仏壇収納空間画像を仏壇販売店に送付し、仏壇収納空間画像と仏壇画像との合成画像を上述のオープンネットワークを通じて顧客のもとに送付することを特徴とする請求項１又は２記載の仏壇販売システム。
【発明の詳細な説明】
【０００１】
【発明の属する技術分野】
本発明は仏壇購入者が自らの仏壇収納空間に購入を検討している仏壇を収納した場合の合成画像を視認することを可能とする仏壇販売システムに関する。
【０００２】
【従来の技術】
仏壇を購入する際には購入者は仏壇を収納する空間の寸法を測り、仏壇販売店に出向いて当該収納空間に収納可能な寸法の仏壇を選択購入するという手順を採るが多い。
【０００３】
ところが、かかる購入方による場合、購入者は確実に収納できるよう収納空間に比べより小さめの仏壇を購入する傾向が強い。そして購入後実際に収納してみると収納空間に比して小さ過ぎる仏壇であることが判明し後悔を残すことが多々ある。
【０００４】
このような問題が生じるのは、具体的な収納空間に具体物たる仏壇を収納しようとするからである。そこでパソコン等の画面上に仏壇画像を表示せしめ、当該画像たる仏壇をして具体物たる仏壇の代替とせしめる発明が提案されている（例えば特許文献１、２参照）。
【０００５】
【特許文献１】
特開２００２−２２２２７７号公報
【０００６】
【特許文献２】
特開２００２−２５１４８９号公報
【０００７】
【発明が解決しようとする課題】
確かに特許文献１、２記載の発明によればパソコン等の画像表示手段があれば足り、仏壇収納空間といったものは必要なく、よって仏壇購入後に後悔するといったこともなくなる。
【０００８】
しかし、上述の発明によれば仏壇を必要とする時にインターネット等のネットワークにアクセスし、必要がなくなればアクセスを解除し電源を落し眼前から消滅せしめるというものであり、故人を思慕するための仏壇としてはあまりに味気なく、一般人の感覚からも乖離したものといえる。
【０００９】
そこで本発明は仏壇購入者が自らの仏壇収納空間に購入を検討している仏壇を収納した場合の合成画像を視認することを可能ならしめ、もって収納空間に対して適切な大きさの仏壇を購入することを可能とする仏壇販売システムを提供することを目的とする。
【００１０】
【課題を解決するための手段】
上記課題を解決するための請求項１記載の仏壇販売システムは以下のようなものである。
【００１１】
画像変更手段により顧客の仏壇収納空間と当該収納空間画像との縮尺比率と同比率で仏壇画像を縮尺し、画像合成手段により当該画像変更手段により縮尺された仏壇画像と収納空間画像とを合成し、当該画像合成手段により合成した合成画像を顧客に提示し視認せしめる。
【００１２】
以下、かような手段から構成される請求項１記載の発明が如何に作用して課題を解決するかを述べる。
【００１３】
請求項１記載の発明によれば画像変更手段により顧客の仏壇収納空間と当該収納空間画像との縮尺比率と同比率で仏壇画像を縮尺することが可能である。すなわち同倍率で縮小した収納空間画像と仏壇画像を得ることが可能である。かようにして得られた収納空間画像と仏壇画像とを画像合成手段により合成することで、顧客の仏壇収納空間に購入予定の仏壇を収納した状態を視認することが可能となる。
【００１４】
つまりは請求項１記載の発明によれば収納空間に対して適切な大きさの仏壇を購入することを可能とする仏壇販売システムを提供することが可能となるのである。
【００１５】
また、請求項２記載の仏壇販売システムは以下のようなものである。
【００１６】
画像変更手段により仏壇と仏壇画像との縮尺比率と同比率で仏壇収納空間画像を縮尺し、画像合成手段により当該画像変更手段により縮尺された仏壇収納空間画像と仏壇画像とを合成し、当該画像合成手段により合成した合成画像を顧客に提示し視認せしめる。
【００１７】
以下、かような手段から構成される請求項２記載の発明が如何に作用して課題を解決するかを述べる。
【００１８】
請求項２記載の発明によれば画像変更手段により仏壇と当該仏壇画像との縮尺比率と同比率で仏壇収納空間画像を縮尺することが可能である。すなわち同倍率で縮小した収納空間画像と仏壇画像を得ることが可能である。かようにして得られた収納空間画像と仏壇画像とを画像合成手段により合成することで、顧客の仏壇収納空間に購入予定の仏壇を収納した状態を視認することが可能となる
。つまりは請求項２記載の発明によれば収納空間に対して適切な大きさの仏壇を購入することを可能とする仏壇販売システムを提供することが可能となるのである。
【００１９】
また、請求項３記載の仏壇販売システムは、請求項１又は２記載のシステムに加え、インターネット等のオープンネットワークを通じて顧客の仏壇収納空間画像を仏壇販売店に送付し、仏壇収納空間画像と仏壇画像との合成画像を上述のオープンネットワークを通じて顧客のもとに送付するという手段を採用した。
【００２０】
かようにして本システムによれば購入予定者は仏壇販売店に出向くまでもなく仏壇収納予定空間に様々な仏壇を収納した画像を視認することが可能となり、仏壇販売の促進を図ることが可能となるのである。
【００２１】
【発明の実施の形態】
以下、好ましい発明の一実施形態につき図面を参照しながら述べる。
【００２２】
図１は本発明にかかる仏壇販売システムの概略を示すシステム構成図であり、図２は仏壇販売店に設置されたパソコン内に装備される回路の概略図である。
【００２３】
図中１及び２はパソコン（パーソナルコンピューター）であり、３及び４はデジタルカメラ等の画像入力手段であり、５はスキャナ等の画像読み取り手段であり、パソコン１及び２はインターネット等のオープンネットワーク６で接続されるものである。
【００２４】
顧客側の画像入力手段３によりパソコン２内に取り込まれた仏壇収納空間画像はネットワーク６を介して仏壇販売店側のパソコン１に送られる。この際収納空間の寸法も併せて送付する（むろんネットワークを介さず、ＣＤ−Ｒ等の情報記録担体を用いてもよいし、写真そのものを送付してもよい）。
【００２５】
販売店側のパソコン１には画像入力手段４により入力された仏壇画像が画像記録部１１内の仏壇画像データベースに格納されている。
【００２６】
他方で顧客側から送られてきた収納空間画像は画像記録部１１内の収納空間画像データベース内に格納される（尚、写真そのものが送られてきた場合はスキャナ等の画像読み取り手段５を介して画像データに変換し格納される）。
【００２７】
請求項１記載の発明においては、画像変更部１３により仏壇画像データベース内の仏壇画像は、仏壇収納空間と収納空間画像との縮尺比率を仏壇の実物寸法に乗じた大きさに変更される。かように変更された収納空間画像と仏壇画像とを画像合成部１２により合成するのである。
【００２８】
請求項２記載の発明においては、画像変更部１３により収納空間画像データベース内の収納空間画像は、仏壇と仏壇画像との縮尺比率を収納空間の実物寸法に乗じた大きさに変更される。かように変更された収納空間画像と仏壇画像とを画像合成部１２により合成するのである。
【００２９】
尚、制御部１０は以上のような処理を制御するための中央処理装置である。
【００３０】
以上のような本発明による画像処理を示したものが図３乃至図５である。
【００３１】
図３は仏壇収納空間画像の正面図であり、図４は仏壇画像の正面図であり、図５は両者の合成画像の正面図である。
【００３２】
仏壇８の画像サイズを変更し（請求項１記載の発明の場合）、あるいは収納空間７の画像サイズを変更し（請求項２記載の発明の場合）、両者を合成し図５に示すような合成画像を得るのである。
【００３３】
【発明の効果】
本発明は以上のように構成されていることから、仏壇購入者が自らの仏壇収納空間に購入を検討している仏壇を収納した場合の合成画像を視認することを可能ならしめ、もって収納空間に対して適切な大きさの仏壇を購入することを可能とする仏壇販売システムを提供することが可能となるのである。
【図面の簡単な説明】
【図１】本発明にかかる仏壇販売システムの概略を示すシステム構成図。
【図２】仏壇販売店に設置されたパソコン内に装備される回路の概略図。
【図３】仏壇収納空間画像の正面図。
【図４】仏壇画像の正面図。
【図５】合成画像の正面図。
【符号の説明】
１、２・・パソコン      ３、４・・画像入力手段
５・・画像読み取り手段      ６・・オープンネットワーク
１０・・制御部      １１・・画像記録部
１２・・画像合成部      １３・・画像変更部
【図１】
2004154194.tif 000003
【図２】
2004154194.tif 000004
【図３】
2004154194.tif 000005
【図４】
2004154194.tif 000006
【図５】
2004154194.tif 000007